(57)【要約】【課題】歯ブラシを清潔な状態に保つことができる歯ブラシスタンドを提供する。【解決手段】有底筒状の挿入筒１と、この挿入筒１を保持する台部２とを備え、挿入筒１はブラシ部Ｂが挿入可能で、かつ銅又は銅合金からなる。歯ブラシＡのブラシ部Ｂを水Ｗと浸漬することで、銅によって銅イオンが生成されて、この銅イオンによりブラシ部の殺菌やぬめりの除去を簡単に繰り返して行うことができる。また、銅イオンにより、ブラシ部の細菌を殺菌すると共に、繁殖を抑制することができる。しかも、銅は半永久的に銅イオンを溶け出すことが可能であるので、繰り返し使用することができる。【選択図】図１
0003142925.tif 000002
【実用新案登録請求の範囲】
【請求項１】
歯ブラシのブラシ部が下向きに挿入されるブラシ部挿入部に底部が設けられていると共に、該底部を有するブラシ部挿入部の内面の少なくとも一部分は銅又は銅合金からなることを特徴とする歯ブラシスタンド。
【請求項２】
有底筒状の歯ブラシの挿入筒と、前記挿入筒を保持する台部とを備え、前記挿入筒は前記歯ブラシのブラシ部が下向きに挿入可能で、かつ銅又は銅合金からなることを特徴とする歯ブラシスタンド。
【請求項３】
前記台部に前記挿入筒を上方より着脱可能に挿入可能な孔を設けると共に、この孔の下方に前記挿入筒の底部を支持する支持部を設けたことを特徴とする請求項２記載の歯ブラシスタンド。
【請求項４】
前記挿入筒は上面に平面円形状の開口部を有する筒形であることを特徴とする請求項２または３記載の歯ブラシスタンド。
【請求項５】
前記台部に前記孔が複数設けられると共に、これら孔に前記挿入筒がそれぞれ設けられることを特徴とする請求項３記載の歯ブラシスタンド。
【考案の詳細な説明】
【技術分野】
【０００１】
本考案は、歯ブラシを洗浄する効果を有する歯ブラシスタンドに関するものである。
【背景技術】
【０００２】
近年、歯周病を予防するために、口腔内の衛生が注目されている。歯周病は口の中の細菌により引き起こされており、この細菌の繁殖を防ぐためには、口腔ケア用品を清潔に保つことが大切である。しかし、歯ブラシを使用した後は、流水で濯ぎ、単に、歯ブラシスタンドに立てて、乾かしておくだけであり、細菌や汚れが付着したままの状態で、継続使用されているのが実状である。
【０００３】
口腔ケア用品を清潔な状態に保つために、従来、容器部の内壁に洗浄用突起部を配設し、容器部内に洗浄剤を充填した歯ブラシ洗浄器具が知られている（例えば、特許文献１）。
【特許文献１】特開第２００５−４６５５８号公報
【考案の開示】
【考案が解決しようとする課題】
【０００４】
しかし、従来のような歯ブラシ洗浄器具では、洗浄成分などを含む洗浄剤は繰り返し使用することができず、水道水では洗浄能力が低いという問題点があった。
【０００５】
解決しようとする問題点は、歯ブラシを清潔な状態に保つことができる歯ブラシスタンドを提供する点である。
【課題を解決するための手段】
【０００６】
請求項１の考案は、歯ブラシのブラシ部が下向きに挿入されるブラシ部挿入部に底部が設けられていると共に、該底部を有するブラシ部挿入部の内面の少なくとも一部分は銅又は銅合金からなることを特徴とする歯ブラシスタンドである。
【０００７】
請求項２の考案は、有底筒状の歯ブラシの挿入筒と、前記挿入筒を保持する台部とを備え、前記挿入筒は前記歯ブラシのブラシ部が下向きに挿入可能で、かつ銅又は銅合金からなることを特徴とする歯ブラシスタンドである。
【０００８】
請求項３の考案は、前記台部に前記挿入筒を上方より着脱可能に挿入可能な孔を設けると共に、この孔の下方に前記挿入筒の底部を支持する支持部を設けたことを特徴とする請求項２記載の歯ブラシスタンドである。
【０００９】
請求項４の考案は、前記挿入筒は上面に平面円形状の開口部を有する筒形であることを特徴とする請求項２または３記載の歯ブラシスタンである。
【００１０】
請求項５の考案は、前記台部に前記孔が複数設けられると共に、これら孔に前記挿入筒がそれぞれ設けられることを特徴とする請求項３記載の歯ブラシスタンドである。
【考案の効果】
【００１１】
請求項１の考案によれば、銅又は銅合金により内面の少なくとも一部分形成された挿入部に歯ブラシのブラシ部を水に浸漬して収容することで、水中で銅又は銅合金から生成される銅イオンによりブラシ部を浄化することができる。
【００１２】
請求項２の考案によれば、台部に保持された銅又は銅合金により形成された挿入部に歯ブラシのブラシ部を水に浸漬して収容することで、水中で生成された銅イオンによりブラシ部を浄化することができる。
【００１３】
請求項３の考案によれば、挿入筒を孔に上方より挿入することで、水を収容した挿入筒を出し入れでき、イオン水のための水の収容や廃棄を容易に行うことができる。
【００１４】
請求項４の考案によれば、挿入筒の開口部は平面円形状であるので、ブラシ部をいずれの方向からも挿入できブラシ部や水を簡単に出し入れすることができる。
【００１５】
請求項５の考案によれば、複数の人の歯ブラシを同時に使用することができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１、２は実施例１を示しており、歯ブラシスタンドは、歯ブラシＡのブラシ部Ｂを挿入する挿入部である挿入筒１と挿入筒１を保持する台部２とからなる。
【００１８】
前記挿入筒１は、全体が銅又は銅合金からなり、したがってその内面の少なくとも一部が銅又は銅合金に形成されるものであって、上面に平面が円形な開口部１Ａを有する有底筒状であり、水を収容することが可能な構造である。また、挿入筒１の内側の直径Ｃはブラシ部Ｂが挿入可能な大きさであればよく、深さはブラシ部Ｂを入れるのに十分な深さであればよい。
【００１９】
前記台部２は、挿入筒１を挿入可能な孔３を有する上面部４と、挿入筒１の底部１Ｂを支持するように受ける中間面部５と、上面部４と中間面部５とを後方で支持する背面部６と、背面部６に対向して上面部４に前面に向けて下向きに突設された上部前面部７と、中間面部５に対向して下方に設けられた底面部８と、中間面部５と底面部８とを前方で支持する下部前面部９とからなる。台部２としては、挿入筒１を支持できる強度を有し、腐食しにくいものであれば、特定のものに限定されないが、例えば、ステンレスを用いることができる。
【００２０】
前記上面部４には、複数の孔３を設け、複数の挿入筒１を上方から挿入して中間面部５で載置して支持できるようになっている。また、上面部４に上部前面部７を前面に向けて下向きに突設することで、上面部４上の水を下方へ落とすことができ、上面部４上に水が溜まるのを防ぐことができる。
【００２１】
次に前記構成についてその作用を図２を参照しながら説明する。水Ｗとして水道水を所定量収容した挿入筒１を、孔３に上方から挿入し台部２に載置する。尚、所定量の水Ｗとは歯ブラシＡのブラシ部Ｂを浸漬できる量をいう。この際、水Ｗに浸漬された銅金属から銅イオンが水中に溶け出す。これにより、水道水中の塩素を除去することができる。
【００２２】
次に歯ブラシＡのブラシ部Ｂを水Ｗに浸漬するように挿入筒１に挿入する。前述のように銅イオンが生成された水Ｗに歯ブラシのブラシ部Ｂを浸漬すると、該歯ブラシＡに付着していた雑菌は銅イオンによって殺菌される。このようにして、ブラシ部Ｂを銅イオンが溶け出した水Ｗに浸漬しておくことで、歯ブラシＴに付着した雑菌を殺菌すると共に、繁殖を抑制することができ、さらにぬめりなども同時に除去することができる。そして、使用するときには、挿入筒１から歯ブラシＴを取り出すものである。尚、水Ｗが汚れたら挿入筒１を孔３から抜き出して水Ｗを廃棄すればよい。
【００２３】
以上のように、前記実施例では請求項１に対応して、歯ブラシＡのブラシ部Ｂが下向きに挿入される歯ブラシ挿入部１に底部１Ｂが設けられていると共に、該底部１Ｂを有する歯ブラシ挿入部１の内面の少なくとも一部分は銅又は銅合金からなることにより、底部１Ｂに貯めた水に銅イオンが生成されることで、ブラシ部Ｂを銅イオンによって浄化することができる。この浄化によって、ブラシ部Ｂの殺菌やぬめりの除去を簡単に繰り返して行うことができる。また、銅イオンにより、ブラシ部Ｂの細菌を殺菌すると共に、繁殖を抑制することができ、歯ブラシＡを逆に立てておくだけで、清潔に保つことができる。しかも、銅は半永久的に銅イオンを溶け出すことが可能であるので、繰り返し使用することができる。
【００２４】
前記実施例では請求項２に対応して、有底筒状の歯ブラシＡの挿入筒１と、挿入筒１を保持する台部２とを備え、挿入筒１はブラシ部Ｂが下向きに挿入可能で、かつ銅又は銅合金からなることにより、挿入筒１によりブラシ部Ｂを支持し、歯ブラシＡを倒れないように保持できる。これにより、ブラシ部Ｂを銅イオンが生成された水共に浸漬しておくことができ、ブラシ部Ｂの殺菌やぬめりの除去を行うことができる。
【００２５】
前記実施例では請求項３に対応して、台部２に挿入筒１を上方より着脱可能に挿入可能な孔３を設けると共に、この孔３の下方に挿入筒1の底部1Ｂを支持する支持部たる中間面部５を設けたことで、挿入筒１を孔３から上方に抜いたり、或いは下方に挿入することができ、収容した水Ｗの交換などを簡単に行うことができる。また、孔３を設けたことで、ブラシ部Ｂを挿入した挿入部１を台部２に保持し、歯ブラシＡを倒れないように保持できる。これにより、銅イオンが生成された水Ｗ中にブラシ部Ｂを浸漬しておくことができ、ブラシ部Ｂの殺菌やぬめりの除去を行うことができる。
【００２６】
前記実施例では請求項４に対応して、挿入筒１は上面に平面円形状の開口部１Ａを有する筒形であることによって、開口部１Ａは方向性がなく、このためブラシ部Ｂが開口部１Ａに対していかなる方向であっても挿入することができる。
【００２７】
前記実施例では請求項５に対応して、台部２に孔３が複数設けられると共に、これら孔３に挿入筒２がそれぞれ設けられることで、１台の台部であっても複数の歯ブラシＡを同時に浄化することができる。
【産業上の利用可能性】
【００２８】
以上のように本考案は、各種の歯ブラシに適用できる。請求項１に対応して、例えば、銅、銅合金のメッキを用いてもよい。
【図面の簡単な説明】
【００２９】
【図１】本考案の実施例１を示す斜視図である。
【図２】同上断面図である。
【符号の説明】
【００３０】
１  挿入筒（挿入部）
１Ａ  開口部
１Ｂ  底部
２  台部
３  孔
５  中間面部（支持部）
Ａ  歯ブラシ
Ｂ  ブラシ部
【図１】
0003142925.tif 000003
【図２】
0003142925.tif 000004